(57)【特許請求の範囲】
【請求項１】
基板の端部上に複数のコンタクトパターンが形成されたフレキシブル導体と接続するフレキシブル導体接続用コネクタにおいて、
前記コンタクトパターンに接触することにより前記フレキシブル導体を当該フレキシブル導体接続用コネクタに接続させるコンタクトと、
凹部を有してプリント基板に取り付けられたコネクタ基体と、
前記コネクタ基体に、支軸によって、該コネクタ基体から離間した位置と該コネクタ基体に圧接した位置との間で回動自在に取り付けられた圧接体と、
前記圧接体が前記コネクタ基体に圧接された状態を保持するロック部と、を有し、
前記コンタクトは、コネクタ基体の前記凹部に設けられ、その一端が固定端としてコネクタ基体に固定され、その他端が接続端としてコネクタ基体から露出して前記プリント基板上のランドに半田付けされており、
前記圧接体をコネクタ基体から離間した回動位置をとるように可動させることによってコネクタ基体と圧接体との間に隙間が形成されるようになっていると共に、その隙間を通じて挿入される前記フレキシブル導体の挿入方向で前記コンタクトに隣接して位置する溝が前記コネクタ基体に形成されていて、
前記フレキシブル導体をそのコンタクトパターンが前記コンタクトから突出して前記溝に対応して位置するように挿入した後に、前記圧接体をコネクタ基体に圧接する位置に回動させることにより、該圧接体の回動を通じて、該圧接体が前記フレキシブル導体を引き戻して前記コンタクトパターンを該圧接体と前記コンタクトとで挟持するように構成してあると共に、該圧接体が前記フレキシブル導体を引き戻すときに前記コンタクトパターンが前記溝に収まった状態で案内されるようになっていることを特徴とするフレキシブル導体接続用コネクタ。
【請求項２】
前記圧接体は前記コンタクトに対向する位置に滑り止め面が形成されていることを特徴とする請求項１に記載のフレキシブル導体接続用コネクタ。
【発明の詳細な説明】
【技術分野】
【０００１】
本発明は、基板の端部上に複数のコンタクトパターンが形成されたフレキシブル導体と接続するフレキシブル導体接続用コネクタに関するものである。
【背景技術】
【０００２】
従来、この種のフレキシブル導体接続用コネクタとして、例えば下記の特許文献１で示すものが提案されている。これは、複数極の板状の電気接続子が並設されたコネクタハウジングと、このコネクタハウジングに対して上方に開口部を大きく取れるように回動自在に取り付けられたカバーとからなり、この開口部の上方からハウジングの装着部に載せられたフレキシブル導体が、ハウジング側に閉ざされてロックするカバーによって各電気接続子に押圧されて接続される構成になっている。また、コネクタハウジングの装着部内にフレキシブル導体の位置決めを兼ねるロック用に突出部を設け、カバーには装着部側に閉ざしたときにこのロック用の突出部に係合してフレキシブル導体を装着部上に押圧保持できる係合部を設けた構成となっている。カバーをコネクタハウジングに回動自在に取り付ける構成は、カバーの両側から突出して回動支持部を設け、ハウジングの両側壁に突設された支点ピンに夫々嵌め込まれる嵌合孔を設けてなる。カバーをハウジングにロックする機構は、カバーの側壁にハウジングの側壁部に形成された係止片に係合する係合孔を設けたものである。フレキシブル導体のロック機構はフレキシブル導体自体にハウジング側に設けた突出部に嵌め込まれる角孔を形成したものである。
【０００３】
また、同様に従来技術として、例えば下記の特許文献2 で示すものが提案されている。これは、コネクタがコネクタベースとハウジングとから構成されている。コネクタベースの両側面には一対のリブが形成され、ハウジングの両内側面にはリブに嵌合する一対の嵌合孔が形成され、ハウジングがコネクタベースに回動自在に取り付けられている。また、ハウジングには一対のフック部が突出して形成され、ＦＰＣの端部には回路パターンの一部である端子パターンが露出されているが、この端子パターンの両側に一対の開孔が形成されている。そして、フック部が開孔に係合することによりロック機構が構成されている。このようにして、ＦＰＣはコネクタに装着されて接続されるとその状態がロックされる。
【０００４】
また、従来技術として、例えば下記の特許文献３で示すものが提案されている。これは、ＦＰＣコネクタにおいて、ＦＰＣが抜け出さず、しかも、ＦＰＣのランドパターンと、ハウジングのコンタクト間に異物が挟み込まれないようにしたものである。具体的には、ＦＰＣコネクタが、インシュレータであるハウジングと、ハウジングに起倒ならびにハウジングの前後方向にスライド可能に連結されたアクチュエータとからなっている。アクチュエータはＦＰＣを支えてハウジングに圧着させるものである。ＦＰＣは基板の下面にランドパターンが付され、基板の一部両側に張り出して耳部が設けられている。ハウジングの両側壁部分には掛止部が形成されている。アクチチュエータには固定部が設けられている。固定部はＦＰＣの耳部が嵌合保持されるものであり、掛止部に掛止しされて起倒し前後方向にスライドする。ＦＰＣは耳部がアクチュエータの掛止部に掛止されてアクチュエータに保持される。そして、ＦＰＣはハウジング内を前後に移動し、ラウンドパターンがコンタクト上を移動する。従って、ＦＰＣのラウンドパターンまたは、ハウジングのコンタクト面のいずれかに異物が付着していても、ラウンドパターンとコンタクト面の摩擦力で除去されて電気的な動通が確保されるようになっている。
【特許文献１】実開平５−４８２７０号公報（段落〔０００６〕、段落〔０００７〕、段落〔００１２〕、段落〔００１３〕）
【特許文献２】実開平６−８４６８８号公報（段落〔０００６〕〜段落〔０００９〕）
【特許文献３】特開２００２−２３１３５０号公報（段落〔００１７〕〜段落〔００２６〕）
【発明の開示】
【発明が解決しようとする課題】
【０００５】
しかしながら、基板に貼着し端部上に露出してコンタクトパターンを形成したフレキシブル導体は、経年変化、繰り返しの使用等によってコンタクトパターンが基板から剥がれてしまうことがあった。そして、この剥がれた部分が折曲し隣接するコンタクトパターンに接触してしまうことがあった。このような状態で、上記特許文献１〜３で示すようなコネクタにより接続を行なうと短絡事故を発生してしまう。また、コンタクトパターンが折れ曲がっていることにより、コネクタ側のコンタクトに確実に接触せず接触不良を生じてしまうことがあった。従来技術にあっては、フレキシブル導体がコネクタから抜けないように係止し、また上記特許文献３で示すように異物を取り除くなどの考慮がなされていても肝心な上述のような短絡事故、接触不良等を解決するまでには至っていない。
【０００６】
そこで、本発明は、基板の端部上に複数のコンタクトパターンが形成されたフレキシブル導体と接続するフレキシブル導体接続用コネクタにおいて、コンタクトパターンの剥がれによる短絡事故, 接触不良等の不具合を確実に除去したフレキシブル導体接続用コネクタを提供することを目的とする。
【課題を解決するための手段】
【０００７】
上記課題を解決するために、本願の請求項１に係る発明は、基板の端部上に複数のコンタクトパターンが形成されたフレキシブル導体と接続するフレキシブル導体接続用コネクタにおいて、前記コンタクトパターンに接触することにより前記フレキシブル導体を当該フレキシブル導体接続用コネクタに接続させるコンタクトと、凹部を有してプリント基板に取り付けられたコネクタ基体と、前記コネクタ基体に、支軸によって、該コネクタ基体から離間した位置と該コネクタ基体に圧接した位置との間で回動自在に取り付けられた圧接体と、前記圧接体が前記コネクタ基体に圧接された状態を保持するロック部と、を有し、前記コンタクトは、コネクタ基体の前記凹部に設けられ、その一端が固定端としてコネクタ基体に固定され、その他端が接続端としてコネクタ基体から露出して前記プリント基板上のランドに半田付けされており、前記圧接体をコネクタ基体から離間した回動位置をとるように可動させることによってコネクタ基体と圧接体との間に隙間が形成されるようになっていると共に、その隙間を通じて挿入される前記フレキシブル導体の挿入方向で前記コンタクトに隣接して位置する溝が前記コネクタ基体に形成されていて、前記フレキシブル導体をそのコンタクトパターンが前記コンタクトから突出して前記溝に対応して位置するように挿入した後に、前記圧接体をコネクタ基体に圧接する位置に回動させることにより、該圧接体の回動を通じて、該圧接体が前記フレキシブル導体を引き戻して前記コンタクトパターンを該圧接体と前記コンタクトとで挟持するように構成してあると共に、該圧接体が前記フレキシブル導体を引き戻すときに前記コンタクトパターンが前記溝に収まった状態で案内されるようになっていることを特徴とする。
【０００８】
また、本発明の請求項２に係る発明は、前記圧接体は前記コンタクトに対向する位置に滑り止め面が形成されていることを特徴とする。
【発明の効果】
【０００９】
本発明は上述のような構成をとることにより以下のような効果を奏する。本発明のフレキシブル導体接続用コネクタにおいては、前記フレキシブル導体をそのコンタクトパターンが前記コンタクトから突出して前記溝に対応して位置するように挿入した後に、前記圧接体をコネクタ基体に圧接する位置に回動させることにより、該圧接体の回動を通じて、該圧接体が前記フレキシブル導体を引き戻して前記コンタクトパターンを該圧接体と前記コンタクトとで挟持するように構成してあると共に、該圧接体が前記フレキシブル導体を引き戻すときに前記コンタクトパターンが前記溝に収まった状態で案内されるようになっている。そのため、前記コンタクトパターンは前記フレキシブル基板から剥がれて折曲していても前記溝に案内されて移動する間に矯正され元の状態になる。そして、矯正された前記コンタクトパターンは前記コンタクトに接触される。前記フレキシブル導体は前記圧接体で前記コネクタ基体に圧接されて前記ロック部により保持される。従って、前記フレキシブル導体は前記コンタクトパターンが例え剥がれていても短絡事故、接触不良等を生じることなく前記フレキシブル導体接続用コネクタによる接続を行なうことができる。また、前記圧接体は前記支軸によって前記コネクタ基体に回動自在に取り付けられているため、前記圧接体コネクタ基体に対する接離動作を簡単な構成で容易に行なうことできる。更に、前記圧接体の前記コンタクトに対向する位置には前記滑り止め面を設けてあるため、接続状態において前記フレキシブル導体が前記滑り止め面により前記フレキシブル導体接続用コネクタから不用に外れてしまうこが防止され簡単な構成で確実に接続状態を維持できる。
【００１０】
【発明を実施するための最良の形態】
【００１１】
本発明を実施するための最良の形態としては、以下に説明する実施例である。
【実施例】
【００１２】
本発明の実施例を図１〜図８によって説明する。図１は本発明の実施例におけるフレキシブル導体接続用コネクタのコネクタ基体と圧接体とを分離して示す側面図、図２は本発明の実施例におけるフレキシブル導体接続用コネクタの使用状態を示す斜視図、図３は本発明の実施例におけるフレキシブル導体接続用コネクタのコネクタ基体を示す平面図、
図４は本発明の実施例におけるフレキシブル導体接続用コネクタのコネクタ基体を示す正面図、図５は本発明の実施例におけるフレキシブル導体接続用コネクタの接続動作を示す側面図、図６は本発明の実施例におけるフレキシブル導体接続用コネクタの接続完了状態を示す平面図、図７は本発明の実施例に適用されるコンタクトパターンが剥がれたフレキシブル導体を示す平面図、図８は本発明の実施例においてコンタクトパターンの剥がれによる不具合を矯正した状態を示す平面図である。
【００１３】
図において、１はフレキシブルパターン導体接続用コネクタであり、コネクタ基体２と、コネクタ基体２に支軸３によって回動自在に取り付けられた圧接体４と、圧接体４をコネクタ基体２にロックするためのロック部５とから構成されている。フレキシブル導体６はフレキシブル基板６１の端部６２上に複数のコンタクトパターン６３が露出されて形成されている。露出したコンタクトパターン６３はその厚み分だけフレキシブル基板６１から盛り上がっている。コネクタ基体２の圧接体４に対向する位置には凹部７が形成されている。この凹部７にはコンタクトパターン６３と接触するための湾曲形状のコンタクト８が設けられている。このコンタクト８は一端が固定端８１としてコネクタ基体２に固定され、他端が接続端８２としてコネクタ基体２から露出している。コンタクト８の延長線上のコネクタ基体２上には、コンタクト８に隣接して、コネクタパターン６３が収まる溝９が形成されている。コネクタ基体２はプリント基板１０上に取り付けられている。そして、コンタクト８の接続端８２はプリント基板1 ０上のランドに半田付けされている。このようにして、コンタクト８は両端が固定されて凹部７内に位置されるが、全体的に撓むようになっている。
【００１４】
圧接体４はコネクタ基体２に対し接離可能に可動するが、コネクタ基体２から離間した回動状態においては、コネクタ基体２と圧接体４との間にフレキシブル導体６が挿入される間隙１１が形成されるようになっている。一方、圧接体４はコネクタ基体２の方向に回動させ、コネクタ基体２上に圧接させた状態においてロック部５により保持するようになっている。ロック部５はコネクタ基体２に形成した係止用凹部５１と、圧接体４に形成した係止用爪５２とから構成されている。また、圧接体４の下面でコンタクト８に対向する位置には滑り止め面１２が形成されている。
【００１５】
次に、上述した本発明の実施例の構成による動作を図５〜図８を参照して説明する。フレキシブルパターン導体接続用コネクタ１によるフレキシブル導体６の接続は、コンタクトパターン６３をコンタクト８に接触させることによって達成させる。そのためには、まず、圧接体４をコネクタ基体２から離間した回動位置をとるように可動させる。この状態でコネクタ基体２と圧接体４との間に間隙１２が形成されるので、図５で示すように、間隙１１内にフレキシブル導体６を挿入する。この挿入はフレキシブル導体６の先端がフレキシブルパターン導体接続用コネクタ１から突出するまで行なう。その後、圧接体４を矢印Ａで示す方向に押圧してコンタクトパターン６３がコンタクト８上に位置するようにフレキシブル導体６を矢印Ｂで示すように引き戻させる。その後、圧接体４は押圧の最終位置においてロック部５によりコネクタ基体２にロックされる。このロックは、圧接体４の係止用爪５２がコネクタ基体２の係止用凹部５１の係止されることにより達成される。そのため、圧接体４はコネクタ基体２に圧接された状態が保持される。この保持によって、フレキシブル導体６のコンタクトパターン６３は撓んで弾発力を発揮するコンタクト８と圧接体４とに挟持される。また、フレキシブル導体６は圧接体4 に設けた滑り止め面１２によって抜け出ることが防止されている。
【００１６】
もし、コンタクトパターン６３が図５、図７で示すようにフレキシブル基板６２から剥がれ、隣接するコンタクトパターン６３に接触している場合は、この状態のままでフレキシブル導体接続用コネクタ１で接続を行うと短絡事故を発生してしまう。しかし、接続作業に当たり、フレキシブル導体６を間隙１１に挿入し、圧接体４を矢印Ａで示す方向に押圧して圧接体４をコネクタ基体２に圧接する位置に回動させることにより、該圧接体２の回動を通じてフレキシブル導体６を引き戻させてそのコンタクトパターン６３を圧接体４とコンタクト８とで挟持させると共に、圧接体４がフレキシブル導体６を引き戻すときにそのコンタクトパターン６３を溝９で案内させると、剥がれて折れ曲がったコンタクトパターン６３は図８で示すように矯正される。この矯正によって、コンタクトパターン６３はコンタクト８上において正常な位置に位置される。
【００１７】
上述した実施例によれば、フレキシブル導体接続用コネクタ１では、コネクタ８に隣接する位置でコネクタ基体２にコンタクトパターン６３をおさめる溝９が形成されていて、圧接体４をコネクタ基体２に圧接する位置に回動させることにより、挿入されたフレキシブル導体６の端部６２が溝９部分まで引き戻される共に、コンタクトパターン６３が溝９に案内されてコンタクト８の位置に至る。コンタクトパターン６３はフレキシブル基板６１から剥がれて折曲していても溝９に案内されて移動する間に矯正され元の状態になる。そして、矯正されたコンタクトパターン６３はコンタクト８に接触される。フレキシブル導体６は圧接体４でコネクタ基体２に圧接されてロック部５により保持される。従って、フレキシブル導体６はコンタクトパターン６３が例え剥がれて折れ曲がっていても元の状態になってコンタクト８に接触されるので、短絡事故、接触不良を生じない。また、圧接体４は支軸３によってコネクタ基体２に回動自在に取り付けられているため、圧接体４のコネクタ基体２に対する接離動作を回動操作だけで行なうことできる。更に、圧接体４のフレキシブル導体６に接する位置には滑り止め面１２が設けられているため、接続状態においてフレキシブル導体６が弾発力を発揮するコンタクト８と滑り止め面１２との間に挟持され、フレキシブル導体接続用コネクタ１から不用に外れてしまうことがない。
【図面の簡単な説明】
【００１８】
【図１】図１は、本発明の実施例におけるフレキシブル導体接続用コネクタのコネクタ基体と圧接体とを分離して示す側面図である。
【図２】図２は、本発明の実施例におけるフレキシブル導体接続用コネクタの使用状態接続を示す斜視図である。
【図３】図３は、本発明の実施例におけるフレキシブル導体接続用コネクタのコネクタ基体を示す平面図である。
【図４】図４は、本発明の実施例におけるフレキシブル導体接続用コネクタのコネクタ基体を示す正面図である。
【図５】図５は、本発明の実施例におけるフレキシブル導体接続用コネクタの接続動作を示す側面図である。
【図６】図６は、本発明の実施例におけるフレキシブル導体接続用コネクタの接続完了状態を示す側面図である。
【図７】図７は、本発明の実施例に適用されるコンタクトパターンが剥がれたフレキシブル導体を示す平面図である。
【図８】図８は、本発明の実施例においてコンタクトパターンの剥がれによる不具合を矯正した状態を示す平面図である。
【符号の説明】
【００１９】
１  フレキシブルパターン導体接続用コネクタ
２  コネクタ基体
３  支軸
４  圧接体
５  ロック部
６  フレキシブル導体
７  凹部
８  コンタクト
９  溝
１０  プリント基板
１１  間隙
１２  滑り止め面
５１  係止用凹部
５２  係止用爪
６１  フレキシブル基板
６２  端部
６３  コンタクトパターン
８１  固定端
８２  接続端
【図１】
0004042113.tif 000002
【図２】
0004042113.tif 000003
【図３】
0004042113.tif 000004
【図４】
0004042113.tif 000005
【図５】
0004042113.tif 000006
【図６】
0004042113.tif 000007
【図７】
0004042113.tif 000008
【図８】
0004042113.tif 000009